(57)【特許請求の範囲】
【請求項１】
和服用型紙であって、この和服用型紙は、着物一等身分の印付け身丈又は着丈、袖丈、衽丈、衿丈、掛衿丈、それぞれに丈の長さを分割した内から一分割丈の長さを表面として使用し、縫い合わせ線、折り曲げ線、合印線、各幅線、その他縫製に必要な情報を印刷し、他方裏面には、残った分割丈分の、縫い合わせ線、折り曲げ線、合印線、各幅線、その他縫製に必要な情報を印刷し、両面使用で前記の着物一等身分、全の印付けが出来ることを特徴とする、和服用型紙である。
【請求項２】
前記和服用型紙に、サイズ幅とサイズ丈の調整線を設けたことを特徴とする、請求項１、記載の和服用型紙である。
【請求項３】
前記和服用型紙に、合印線用の突起部分を設けたことを特徴とする、請求項１記載、または請求項２記載の和服用型紙である。
【請求項４】
前記和服用型紙に、つながりを示す、へこみ部分を設けたことを特徴とする、請求項１記載、または請求項２記載の和服用型紙である。
【請求項５】
前記和服用型紙に、輪の数で重なり数を示す、合印線用の符合を設けたことを特徴とする、請求項１記載、または請求項２記載の和服用型紙である。
【請求項６】
前記和服用型紙の表面と裏面が同形であることを特徴とする、請求項１記載、または請求項２記載の和服用型紙である。
【請求項７】
前記和服用型紙に、見積り裁断専用ものさしを付属させたことを特徴とする、請求項１記載、または請求項２記載の和服用型紙である。
【発明の詳細な説明】
【技術分野】
【０００１】本発明は、一般家庭、教育現場へ、和裁技術の普及を図った、着物等の印付け用として、コンパクトで便利な和服用型紙に関するものである。
【背景技術】
【０００２】和服が日常着であった時代、手習いで和裁の技術を習得し、母親等が家庭で着物を作り、家族の衣服管理をしていました。けれどライフ、スタイルの変化により洋服が日常着となり、一般の人が着物を着るのは冠婚葬祭や夏の浴衣ぐらいになってしまいました。【０００３】したがって家庭で着物を作ることはほとんどなくなり、一人で着用することさえ出来ない人達が多くなりました。けれどもそうした現代の気運を懸念した一部の団体が、民族衣裳である着物の着付けや知識の普及に努め、着装の工夫もなされてはいますが、【０００４】一般家庭で着物を作るという我が国、固有の愛情伝達文化がなくなりつつあり、美しい日本の心も見失われていますが、着物作りのすばらしい役目を見直し、普及の為に様々な試みもなされており、多くの和服用型紙が工夫されています。
【先行技術文献】
【０００５】
【特許文献】
【特許文献】［実開平０１−０２６３３５  公報］  ［特開  ２００２−２０１５２１  公報］  ［特許  ３２２６８７８  公報］
【発明の概要】
【発明が解決しようとする課題】
【０００６】これらは次のような欠点があった。従来着物の印付けに使用されている和服用型紙は、着物一等身分の丈が長さとなった長い型紙で取り扱いが容易ではなかった。縫製部分の合印符号も大まかで、本来の着物縫製技術の継承からは大きくはずれているものであった。【０００７】その他、従来からの和服用型紙は、ヘラ孔を直列及いは湾列に多数穿設させた反物と同巾の長尺厚紙に型取った女性着丈着物型紙、反物に縫製線を書き込む為の切り込みと縫製順序と方向を指示する切り離し可能なシール部分を有し裏面の適所に接着性を持たせた和服用型紙、裏面にのりを有して接合させて和服の模型を型作る和服用型紙教材であり、いずれも現代の気運にマッチする和服用型紙ではない。
【課題を解決するための手段】
【０００８】前記目的を達成するための本発明を詳述すれば
本発明は請求項１として、和服用型紙であって、この和服用型紙は、着物一等身分の印付け身丈又は着丈、袖丈、衽丈、衿丈、掛衿丈、それぞれに丈の長さを分割した内から一分割丈の長さを表面として使用し、縫い合わせ線、折り曲げ線、合印線、各幅線、その他縫製に必要な情報を印刷し、他方裏面には、残った分割丈分の、縫い合わせ線、折り曲げ線、合印線、各幅線、その他縫製に必要な情報を印刷し、両面使用で前記の着物一等身分、全の印付けが出来ることを特徴とする、和服用型紙である。【０００９】請求項２として、前記和服用型紙に、サイズ幅とサイズ丈の調整線を設けたことを特徴とする、請求項１、記載の和服用型紙。【００１０】請求項３として、前記和服用型紙に、合印線用の突起部分を設けたことを特徴とする、請求項１記載、または請求項２記載の和服用型紙である。【００１１】請求項４として、前記和服用型紙に、つながりを示す、へこみ部分を設けたことを特徴とする、請求項１記載、または請求項２記載の和服用型紙である。【００１２】請求項５として、前記和服用型紙に、輪の数で重なり数を示す、合印線用の符合を設けたことを特徴とする、請求項１記載、または請求項２記載の和服用型紙である。【００１３】請求項６として、前記和服用型紙の表面と裏面が同形であることを特徴とする、請求項１記載、または請求項２記載の和服用型紙である。【００１４】請求項７として、前記和服用型紙に、見積り裁断専用ものさしを付属させたことを特徴とする、請求項１記載、または請求項２記載の和服用型紙である。
【発明の効果】
【００１５】本発明によれば、型紙が短くコンパクトなので、家庭、教育現場でのパソコン、ソフトにより、Ａ３サイズの使用実寸丈でプリンター出力表示出来、印付け作業の能率も良くなり、現代の気運にマッチして、和裁技術の普及を促すことが出来、衰退している一般家庭や教育現場での着物作りがこの発明により復活され、我が国、固有の愛情伝達文化や美しい日本の心を養うという効果を発揮するものである。
【図面の簡単な説明】
【００１６】
【図１】本発明に係る和服用型紙の一実施例を構成する、袖とものさし一の（ａ）表側、（ｂ）裏側を示す平面図である。
【図２】本発明に係る和服用型紙の一実施例を構成する、衿とものさし二の（ａ）表側、（ｂ）裏側を示す平面図である。
【図３】本発明に係る和服用型紙の一実施例を構成する、衽とものさし三の（ａ）表側、（ｂ）裏側を示す平面図である。
【００１７】
【図４】本発明に係る和服用型紙の一実施例を構成する、掛衿とものさし四、ものさし五、（まえ、うしろ）身頃と衽のサイズ調整線の（ａ）表側、（ｂ）裏側を示す平面図である。
【図５】本発明に係る和服用型紙の一実施例を構成する、（まえ、うしろ）身頃の（ａ）表側、（ｂ）裏側を示す平面図である。
【図６】本発明に係る和服用型紙の一実施例を構成する。（ａ）ものさし完成時、（ｂ）袖型紙の使用状態を示す説明図である。
【００１８】
【図７】本発明に係る和服用型紙の一実施例に関する、着物完成時における、合印専用符合の位置と名称を示す（ａ）前側、（ｂ）後側の説明図である。
【図８】本発明に係る和服用型紙の一実施例に関する、着物完成時における、縫い合せ線と折り曲げ線の位置と着物各部の名称を示す（ａ）前側、（ｂ）後側の説明図である。
【発明を実施するための形能】
【００１９】以下本発明に係る和服用型紙の具体的構成を図示の実施例に基づき詳細に説明する。本発明の型紙は、身長に応じて身丈の長さをＳ〜Ｌ、Ｌまでの６サイズを用意する、Ｓサイズ（１５０ｃｍ）、Ｓ、Ｍサイズ（１５３ｃｍ）Ｍサイズ（１５６ｃｍ）Ｍ、Ｌサイズ（１５９ｃｍ）Ｌサイズ（１６２ｃｍ）Ｌ、Ｌサイズ（１６５ｃｍ）各サイズ差（３ｃｍ）の身長（１４８ｃｍ〜１６６ｃｍ）位までの対応である。
【００２０】身丈サイズに基づいて、袖丈、衽丈、衿丈、衿下丈、ものさし丈等関連寸法も用意し、その他着物標準寸法も用意する。次にヒップ寸法に応じて、腰まわりを７柳、９梅、１１桜の３サイズを用意する。７柳サイズ（８７ｃｍ）まで、９梅サイズ（８８〜９２ｃｍ）１１桜サイズ（９３〜９５ｃｍ）のヒップ寸法（８７ｃｍ〜９５ｃｍ）位までの普通体型対応である。腰まわりサイズに基づいて、後幅、前幅、衽幅
【００２１】等関係寸法も用意し、その他着物標準寸法も用意する。さらに実測の裄丈に応じて、裄丈をＳ〜Ｌ、Ｌまでの６サイズを用意する。Ｓサイズ（６２．５ｃｍ）Ｓ、Ｍサイズ（６３．５ｃｍ）Ｍ、サイズ（６４．５ｃｍ）Ｍ、Ｌサイズ（６５．５ｃｍ）Ｌサイズ（６７．５ｃｍ）Ｌ、Ｌサイズ（６９．５ｃｍ）の裄丈（６２ｃｍ〜７０ｃｍ）位までの対応である、裄丈サイズに基づいて、肩幅、袖幅、をそれぞれに
【００２２】小文字のｓ〜ｌ、ｌまでの６サイズを用意する。肩幅ｓサイズ（３０ｃｍ）ｓ、ｍサイズ（３０．５ｃｍ）ｍサイズ（３１ｃｍ）ｍ、ｌサイズ（３１．５ｃｍ）ｌサイズ（３２．５ｃｍ）ｌ、ｌサイズ（３３．５ｃｍ）の肩幅寸法（３０ｃｍ〜３３．５ｃｍ）位までの対応である。
袖幅ｓサイズ（３２．５ｃｍ）ｓ、ｍサイズ（３３ｃｍ）ｍサイズ（３３．５ｃｍ）ｍ、ｌサイズ（３４ｃｍ）ｌサイズ（３４．５ｃ
【００２３】ｍ）ｌ、ｌサイズ（３５．５ｃｍ）の袖幅寸法（３２．５ｃｍ〜３５．５ｃｍ）位までの対応サイズを用意する。裄丈サイズは後幅サイズに応じて１８種類の肩幅サイズと袖幅サイズの組合せに分けられ、裄丈サイズと同じの小文字サイズで組合せが成り立っている。さらに後幅と肩幅を結ぶ袖付け縫い代のつれを防ぐ工夫として、本来のつながり基点である身八つ口合印から裾に（１０ｃｍ）下がっ
【００２４】た脇縫い合せ線に調整位置を用意し、裄丈サイズＬとＬ、Ｌの後幅サイズ７柳と９梅の合計４種類を袖付けの傾斜差調整をする、以上各サイズを用意した。女物和服用型紙がＡ３サイズ紙本体５枚の表裏で示されている。以下本発明のそれぞれについて詳細に説明する［図１］は一実施例を構成する、袖とものさし一の型紙を印刷する（ａ）表面のＡ３サイズ印刷用紙本体１に、前記の用意された身
【００２５】丈Ｓサイズ（１５０ｃｍ）に基づいて基準となる袖丈Ｓサイズ寸法を身丈の３分の１丈として割り出すと（１５０ｃｍ）÷３＝（５０ｃｍ）となる。この基準袖丈に袖下のきせ分として（０．４ｃｍ）をたした、印付け袖丈（５０．４ｃｍ）を紙面に納まり、かつ使い勝手が良いように均等三分割します。（５０．４ｃｍ）÷３＝（１６．８ｃｍ）一分割丈の長さ（１６．８ｃｍ）を型紙上部丈の長さ
【００２６】とした、外枠丈線２袖口側と袖付け側の二本と、外枠山線３のｓサイズ袖幅（３２．５ｃｍ）に袖口、袖付のきせ分として（０．４ｃｍ）をたした（３２．９ｃｍ）幅となる袖山線、同幅の外枠分割丈の区分線４（３２．９ｃｍ）幅で形作られる。縦（１６．８ｃｍ）横（３２．９ｃｍ）の長方形を袖型紙の外枠とする。さらに外枠延長線上に、サイズ幅調整線５（３ｃｍ）とサイズ丈調整線６（５ｃ
【００２７】ｍ）を設け、各線上でサイズ調整がされるようになっている。外枠丈線２のそれぞれについている。合印線用突起部分７は、合印線用符合１０といっしょに用いる、印付けの忘れを防ぐ工夫であり、一辺が（１ｃｍ）の直角三角形で、中が空白は同一面での使用、埋められて空白がないのは裏面での使用を表している。内部には、型紙本体の名称８が太字で大きく、型紙各部の名称９が細字で小さく書
【００２８】かれている。合印線用符号１０は専問的でたくさんの縫製合印用語を英小文字の符号に置き換えて簡略し解りやすいように表したもので、着物製作の理解を助ける工夫である。最初に符号を直径（０．５ｃｍ）の輪で囲い、縫い合せ箇所が重なるたびに外側に直径（０．２ｃｍ）づつ大きくした輪を増し、輪の数で重なり数を表している。［図７］説明図参照、地の目線１１は生地の縦地を表し、外
【００２９】枠丈線２の袖口側より（５ｃｍ）の位置に、長さ（５ｃｍ）上、下に（０．３ｃｍ）の矢印で示している。着物イラスト前図１２と着物イラスト後図１３は、着物完成時の型紙使用位置をカンタンに表している。外枠分割丈の区分線４の（５ｃｍ）上から長さ（３．８ｃｍ）横幅（３ｃｍ）で示されている。ものさし一は生地を見積り裁断する時の間違いを減らし、能率が上がる工夫であり、前記のサ
【００３０】イズ分けに基づいて、Ｓ〜Ｌ、Ｌまでの、表面に身丈、衿衽丈、袖丈の３種類、裏面に衿丈と掛衿丈の２種類、合わせて５種類のものさし丈が表わされている。使用時の長さは身丈Ｓサイズ（１５０ｃｍ）に縫い代やくりこし等巾とり分（１２ｃｍ）を加えた（１６２ｃｍ）に丈調整分（１５ｃｍ）を加えた（１７７ｃｍ）となる。これを紙面の都合で紙幅の（４２ｃｍ）で割り、４面と残り（８．４
【００３１】ｃｍ）の５面に分ける。衿衽丈は身丈（１７７ｃｍ）から裁ち切り衽下がり（１５ｃｍ）を引いた（１６２ｃｍ）となる。これを紙面の都合で紙幅の（４２ｃｍ）で割り、３面と残り（３．９ｃｍ）の４面に分ける。袖丈はＳサイズ（５０ｃｍ）に縫い代やきせ等巾とり分（５ｃｍ）を加えた（５５ｃｍ）に丈調整分（５ｃｍ）を加えた（６０ｃｍ）となる。これを紙面の都合で紙幅の（４２ｃｍ）で
【００３２】割り１面と残り（１８ｃｍ）の２面に分ける。衿丈は衿衽丈（１６２ｃｍ）から掛衿丈（５０ｃｍ）を引いた（１１２ｃｍ）となる。表面身丈（１７７ｃｍ）５分割、衿衽丈（１６２ｃｍ）４分割袖丈６０ｃｍ２分割で［図１］ものさし一から［図４］ものさし五までの四枚で表される。表面と同形である裏面には、衿衽丈（１６２）ｃｍと同丈である、衿丈（１１２ｃｍ）と掛衿丈（５０ｃｍ）
【００３３】が、表面衿衽丈ものさしと同位置に表される。ものさし一は、サイズ丈調整線６（１５ｃｍ）から、型紙つなぎ部２２でものさし二へとつづく、型紙各部の名称９が示すとおり、総幅（４．５ｃｍ）を３等分して、袖丈（１．５ｃｍ）幅、衿衽丈（１．５ｃｍ）幅、身丈（１．５ｃｍ）幅に区切って使用する。［図６］（ａ）説明図参照［図１］（ｂ）裏面のＡ３サイズ印刷用紙本体１は、表面の紙
【００３４】を図の下側で反転させた図で、表面と同形である、縦（１６．８ｃｍ）横幅（３２．９ｃｍ）の長方形を型紙の外枠としている。さらに外枠延長線上に表同様、サイズ幅調整線５（３ｃｍ）とサイズ丈調整線６（５ｃｍ）が設けてある、表面と同丈の長さで、残った分割丈分（３３．６ｃｍ）の印付けを表わす。したがってＩＩとＩＩＩの２回使用となる。袖口下ＩＩＩサイズ丈調整線６（５ｃｍ）は、袖丈のま
【００３５】るみが初まる位置を示し、サイズによる袖丈の調整に応じて使用される。外枠丈線２それぞれについている合印線用突起部７は、表面と同様の一辺（１ｃｍ）の直角三角形で、中が空白は裏面ＩＩでの使用、ドットは裏面ＩＩＩでの使用、埋められて空白がないのは表面での使用を表している。内部には表面と同様、型紙本体８、型紙各部の名称９、合印線用符号１０、着物イラスト前図１２、着物イラスト
【００３６】後図１３が、残りの分割丈分表してある。ＩＩＩの内部印付け線１５は袖丈のまるみ線を表し、裏面ＩＩＩ印付け不用部１９はドットでこの部分は印付けが不用であることを表している。まるみ型紙線１６は、必要に応じて、厚紙に写し取って、まるみを形作る時に使用する。型紙の使用に際しては、サイズＳ丈以上は表面の調整線に外枠線を引き直し、表面から外枠を切り取ります。［図６］（ｂ）説明図
【００３７】に示すよう生地の袖山に表面外枠山線３の袖山線を合わせ、外枠丈線２、袖口側、袖付側丈線と合印線の印付けをします。次に外枠分割丈の区分線４から反転させて、裏面ＩＩ外枠丈線２、袖口、口下側、袖付け、振り側丈線と合印線の印付けへとつなぎ、さらに同面をスライドさせて、裏面ＩＩＩ外枠丈線２、袖口下線側、振り側丈線と合印線、外枠山線３、まるみの初まり丈調整線６からまるみ線を通
【００３８】って袖下線へと結び、印付けを完成させる、表面１回裏面２回使用の両面式型紙である。その他予め布を三ツ折りにたたみ型紙の外枠丈線２と合印を一度で印付けを完成する方法も有ります。サイズＳ丈以上は、サイズ丈調整線が、表面Ｉの外枠山線３、袖山線上部に足されるようになっている。けれどこの部分は表面Ｉ、裏面ＩＩでの印付けは不用であり。外枠山線３、袖山線で折り曲げるか、又は
【００３９】切り取って、裏面ＩＩＩ袖下線に後付けで印付けし、同時にまるみ線をまるみ型紙で印付けをする。見積り裁断専用ものさし１４は表面と同形である。袖型紙同様に外枠で切り取って使用するが、紙の外端が型紙の外枠線とされているので、内側幅線のみ切り取れば良い。型紙の使用に際しては、サイズＬ、Ｌ丈以外は表面の調整線で丈調整がされます。袖丈のものさしに、身丈、衿衽丈同様の丈調整線が
【００４０】設けてありますが［図６］（ａ）説明図に示されているように、ものさしの端を並えて、取り扱いを良くする工夫であり、袖丈の調整は、ものさし二の調整線の工夫で解消されます。机の上に置いて使う時は、重しで押さえるか、はがせる両面テープで固定すると安定します。その他、それぞれの幅線を切り離し、個々に使ったり、短く折りたたんでも便利に使えます。［図２］は一実施例を構成す
【００４１】る、衿とものさし二の型紙を印刷する（ａ）表面のＡ３サイズ印刷用紙本体１に、前記の用意された身丈Ｓサイズ（１５０ｃｍ）に基づいて、基準となる衿丈Ｓサイズ寸法を割り出すと、身丈（１５０ｃｍ）−衿下（７５ｃｍ）＋衿肩まわりとゆとり（１３ｃｍ）＝（８８ｃｍ）となる。この基準衿丈に身丈のくりこしとゆとり（３ｃｍ）をたした、印付け衿丈（９１ｃｍ）を紙面に納まり、かつ使い
【００４２】勝手が良いように均等三分割します。（９１ｃｍ）÷３＝（３０．３ｃｍ）一分割丈の長さ（３０．３ｃｍ）を型紙上部丈の長さとした、外枠丈線２衿付側、衿おさめＩＩＩ側の二本と外枠山線３のばち衿標準下衿ＩＩＩ幅（７．５ｃｍ）×２＝（１５ｃｍ）に衿付け、衿おさめのきせ分として（０．４ｃｍ）をたした（１５．４ｃｍ）幅の衿山兼用、下衿先線、外枠分割丈の区分線４のばち衿標準上衿Ｉ幅（
【００４３】５．５ｃｍ）×２＝（１１ｃｍ）に衿付け、衿おさめのきせ分として（０．４ｃｍ）をたした（１１．４ｃｍ）幅の上衿幅と下衿幅（１５．４ｃｍ）を印付け衿丈（９１ｃｍ）の間でバチ衿を形作り、下衿幅から一分割丈分の長さ（３０．３ｃｍ）位置の（１４．７ｃｍ）幅のバチ衿幅で形作られる、縦二辺（３０．３ｃｍ）横一辺（１５．４ｃｍ）一辺（１４．７ｃｍ）の四辺形を衿型紙の外枠と
【００４４】する、さらに外枠山線３、衿山線の上方外枠丈延長線上に、サイズ丈丈調整線６（７ｃｍ）を設け、線上でサイズ調整がされるようになっている。外枠丈線２の衿付側と型紙内部印付け線１５の衿おさめ線についている合印線用突起部分７は前記袖型紙と同様である。内部には型紙本体８、型紙各部の名称９、合印線用符号１０、着物イラスト前図１２が示されている。型紙内部印付け線１５は衿おさ
【００４５】め線を表し、表面Ｉ印付け不用部、７は格子縞でこの部分は印付けが不用であることを表している。へこみ部２１の型紙内部印付け線１５衿おさめ線上についているのは裏面ＩＩにつながる部分を表し、外枠山線３衿山兼用下衿先線についているのは裏面ＩＩからＩＩＩにつながる部分を表している。見積り裁断専用ものさし１４は、前記ものさし一のつづきとなる、ものさし二である。ものさし一と同様の
【００４６】幅（１．５ｃｍ）づつの、袖丈、衿衽丈、身丈、ものさしが設けられている。袖丈ものさしの端にはサイズ丈調整線６（１０ｃｍ）を有する。前記の取り扱いを良くする工夫により設けられた長さで、サイズ丈調整線の長さ（５ｃｍ）に身丈、衿衽丈の調整線（１５ｃｍ）との差（１５ｃｍ）−（５ｃｍ）＝（１０ｃｍ）である。型紙つなぎ部２２で一へとつなぎ、身丈、衿衽丈は三へとつづく。
【００４７】［図２］（ｂ）裏面のＡ３サイズ印刷用本体１は、表面の紙を図の下側で反転させた図で、表面と同形である。縦一辺（３０．３ｃｍ）一辺（３０．３ｃｍ）横一辺（１５．４ｃｍ）一辺（１４．７ｃｍ）の四辺形を型紙の外枠としている。さらに外枠丈延長線上に表同様、サイズ丈調整線６（７ｃｍ）が設けてある。表面と同丈の長さで、残った分割丈分（６０．６ｃｍ）の印付けを表わし、袖型
【００４８】紙同様のＩＩとＩＩＩの２回使用となる。外枠丈線２の衿付け側と型紙内部印付け線１５の衿おさめ側についている合印線用突起部分７は前記述と同様である。内部には型紙本体８、型紙各部の名称９、合印線用符合１０、着物イラスト前図１２が表面同様に示されている。型紙内部印付け線１５は衿おさめ線を表し、裏面ＩＩ印付け不用部１８の横稿で、この部分は印付けが不用であることを表している。
【００４９】へこみ部２１の型紙内部印付け線１５衿おさめ線上の外枠分割丈の区分線４についているのは表面Ｉから裏面ＩＩにつながる部分を表し、外枠山線３下衿先線についているのは裏面ＩＩから外枠丈線２衿おさめ線ＩＩＩにつながる部分を表している。型紙の使用に際しては、前記袖型紙同様、サイズＳ丈以上は表面の調整線に外枠線を引き直し、表面から外枠を切り取ります、外枠山線３衿山兼下衿先線のへこみ部
【００５０】は、この線を折り曲げるか。又は切り取ってから、切り抜きます。［図６］（ｂ）前記袖型紙使用状態説明図が示すように。生地の衿山に表面外枠山線３衿山兼下衿先線を合わせ、外枠丈線２、衿付け側丈線と合印線  型紙内部印付け線１５衿おさめ線と合印線の印付けをします。次に外枠分割丈の区分線４から反転させて、裏面ＩＩ外枠丈線２、衿付け側丈線と合印線へとつなぎ裏面ＩＩへこみ部と表
【００５１】面とを、合わせて型紙内部印付け線１５衿おさめ線と合印線の印付けへとつなぎさらに同面をスライドさせて、裏面ＩＩＩ外枠丈線２、衿付け側丈線と合印線、裏面ＩＩ外枠分割丈の区分線４線上のへこみ部と裏面ＩＩＩ外枠丈線２、衿おさめ側丈線と合印線、外枠山線３衿先線を結び、印付けを完成させる。表面１回裏面２回使用の両面式型紙である、その他、前記の袖型紙同様予め布を三ツ折りにたたんでの
【００５２】使用方法も有ります、サイズ丈調整線の扱いは前記袖型紙と同様です、見積り裁断専用ものさし１４は表面と同形である。前記ものさし一同様、内側幅線を切り取れば良い。型紙の使用に際しては袖丈のみＬ、Ｌサイズ以下の丈調整が必要となり、袖丈のものさしはここで終了です、［図３］は一実施例を構成する、衽とものさし三の型紙を印刷する（ａ）表面のＡ３サイズ印刷用紙本体１に前記の
【００５３】用意された身丈Ｓサイズ（１５０ｃｍ）に基づいて、基準となる衽丈Ｓサイズ寸法を割り出すと、身丈（１５０ｃｍ）−衽下がり（２３ｃｍ）＝（１２７ｃｍ）となる。この基準衽丈に身丈のくりこしとゆとり（３ｃｍ）をたした印付け衽丈（１３０ｃｍ）を紙面に納まりかつ使い勝手が良いように均等四分割します。（１３０ｃｍ）÷４＝（３２．５ｃｍ）一分割丈の長さ（３２．５ｃｍ）を型紙上
【００５４】部丈の長さとした。外枠丈線２衽付けＩＶ線側、衿下ＩＩ、ＩＩＩ、ＩＶ、線側の二本と外枠山線３の衽すそ幅（１５ｃｍ）に衽付け分のきせ（０．２ｃｍ）をたした外枠丈線２衿下ＩＩ、ＩＩＩ、ＩＶ線から直角に延びる（１５．２ｃｍ）幅の衽丈兼用すそＩＶ幅線、外枠分割丈の区分線４の衽付けＩ線と衽丈兼用すそＩＶ幅線が交わる、外枠丈線２、衽付けＩＶ線側より（２ｃｍ）内側に有る合印線と基準印付け衽丈（１３０ｃ
【００５５】ｍ）のすそＩＶ幅線（１５．２ｃｍ）から合褄幅位置（１４．２ｃｍ）を通り、前記の衽丈まで結んだ衽付け線のすそＩＶ幅線から、一分割丈分の長さ（３２．５ｃｍ）位置の（１４．６ｃｍ）幅の衽幅ＩＶで形作られる。縦二辺（３２．５ｃｍ）横一辺（１５．２ｃｍ）一辺（１４．６ｃｍ）の四辺形を衽型紙の外枠とする、さらに型紙内部印付け線１５の衿付けＩ線、外枠分割丈の区分線４に衽丈と衿下
【００５６】丈のサイズ調整により変動する、衿付けＩサイズ幅調整線（２ｃｍ）を設け、線上でサイズ調整がされるようになっている。外枠丈線２、衽付けＩＶ側、衿下ＩＩ、ＩＩＩ、ＩＶ側と型紙内部印付け線１５の衿付けＩ線についている合印線用突起部分７は前記型紙と同様である。内部には型紙本体８、型紙各部の名称９、合印線用符合１０、着物イラスト前図１２が示されている。型紙内部印付け１５は衿付けＩ
【００５７】線と衽付けＩ線を表し、表面Ｉ印付け不用部１７は格子縞でこの部分は印付けが不用であることを表している。へこみ部２１の型紙内部印付け線１５衽付けＩ線上についているのは表面ＩＩにつながる部分を表し、外枠山線３衽丈兼用すそＩＶ幅線、についているのは裏面ＩＩからＩＩＩにつながる部分を表している。見積り裁断専用ものさし１４は、前記ものさし二のつづきとなる、ものさし三である。ものさ
【００５８】し二と同様の、幅（１．５ｃｍ）づつの衿衽丈、身丈、ものさしが設けられている。型紙つなぎ部２２でものさし二とつなぎ、ものさし四へとつづく。［図３］（ｂ）裏面のＡ３サイズ印刷用本体１は表面の紙を図の下側で反転させた図で、表面と同形である、縦二辺（３２．５ｃｍ）横一辺（１５．２ｃｍ）一辺（１４．６ｃｍ）の四辺形を型紙の外枠としている。さらに型紙内部印付け線１５の衿
【００５９】付けＩＩ線、外枠分割丈の区分線４に衽丈と衿下丈のサイズ調整により変動する、衿付けＩＩサイズ幅調整線（２ｃｍ）を設け、線上でサイズ調整がされるようになっている。表面と同丈の長さで、残った分割丈分（９７．５ｃｍ）の印付けを表わし、ＩＩ、ＩＩＩ  ＩＶ、の３回使用である。各印付け線についている合印線用突起部分７は前記型紙と同様である。内部には型紙本体８、型紙各部の名称９、合印線
【００６０】用符合１０、着物イラスト前図１２が示されている。型紙内部印付け１５は衿付けＩＩ、衽付けＩＩ線、ＩＩＩ線を表し、衿付けＩＩ線から続く外枠丈線衿下ＩＩの線上に衿下サイズ丈調整線（７．５ｃｍ）が設けられ、線上でサイズ調整がされるようになっている。裏面ＩＩ印付け不用部１８は横縞でこの部分は印付けが不用であることを表している。裏面ＩＩＩ印付け不用部１９横縞とドットで裏面ＩＩ印付け不用部
【００６１】１８と重なる部分が有ることを表している、型紙内部印付け線１５衽付けＩＩ線上の外枠分割丈の区分線４についている、へこみ部２１は表面Ｉから裏面ＩＩにつながる部分を表し、外枠山線３裾ＩＶ裾幅線についているのは、裏面ＩＩからＩＩＩにつながる部分を表している。型紙の使用に際しては、紙面の関係でサイズＳ丈以上の丈調整線が別紙［図４］記載を衽ＩＶ型紙使用時すそ幅ＩＶ線に後付けします。同
【００６２】時に、表面Ｉ、裏面ＩＩ、衿付けサイズ幅調整線、裏面ＩＩ衿下サイズ調整線でもサイズを調整後表面から外枠を切り取ります。次に生地の丈端から衽先縫い代を測り、そこに前記型紙同様、表面の外枠山線３衽丈兼用すそＩＶ幅線を合わせ、型紙内部印付け線１５、衽付けＩ線、衿付けＩ線と合印線の印付けをします。次に外枠分割丈の区分線４から反転させて、裏面ＩＩ型紙内部印付け線１５衿付けＩＩから
【００６３】外枠丈線２衿下ＩＩ線と合印線の印付けをし、裏面ＩＩ外枠分割丈の区分線４のへこみ部と表面衽付けＩと合わせて、衽付けＩＩ線と合印線の印付けをします。さらに同面をスライドさせて、裏面ＩＩＩ外枠丈線２衿下ＩＩＩ線の印付けをし、裏面ＩＩＩ外枠山線３のへこみ部と外枠丈線２枠丈線２衽付けＩＩＩと合わせて、衽付けＩＩＩ線の印付けをします。次に型紙をもう一度スライドさせて裏面ＩＶ外枠丈線２と合印線の印付
【００６４】けをし、外枠丈線２衽付けＩＶ線から外枠山線３すそＩＶ幅線を結び、印付けを完成させる、表面１回裏面３回使用の両面式型紙である。その他予め布を四ツ折りにたたんで使用することも出来ます。サイズ丈調整は前記述どおり後付けにします。見積り裁断専用ものさし１４は表面と同形で、前記ものさし同様内側幅線で切り取り、型紙つなぎ部２２でものさし二とつなぎ四へとつづく。裏面はかけ
【００６５】えりとえりに分けられる。［図４］は一実施例を構成する、掛衿と（前後）身頃及び衽サイズ丈調整線、ものさし四、五の型紙を印刷する（ａ）表面のＡ３サイズ印刷用紙本体１に、前記の基準裁ち切り掛衿丈（５０ｃｍ）から掛衿先縫い代（２ｃｍ）を引いた（５０ｃｍ）−（２ｃｍ）＝（４８ｃｍ）となる基準印付け掛衿丈を、紙面に納まり、かつ使い勝手が良いように均等二分割します。（４
【００６６】８ｃｍ）÷２＝（２４ｃｍ）一分割丈の長さ（２４ｃｍ）を型紙上部丈の長さとした、外枠丈線２掛衿付け線、布幅いっぱい（掛衿おさめ側）の二本と外枠山線３掛衿山幅線（７ｃｍ）外枠分割丈の区分線４（７ｃｍ）幅で形作られる、縦二辺（２４ｃｍ）横二辺（７ｃｍ）の長方形を掛衿型紙の外枠としている。外枠丈線２掛衿付け線についている合印線用突起部分７は前記型紙と同様である。内部
【００６７】には型紙本体８、型紙各部の名称９、合印線用符合１０、着物イラスト前図１２が示されている。（前後）身頃及び衽サイズ丈調整線型紙は、サイズ７の印付け後身頃裾幅（２８ｃｍ）二本とサイズ丈調整線（１５ｃｍ）二本で形作られる、縦二辺（１５ｃｍ）横二辺（２８ｃｍ）の長方形を型紙の外枠としている、後身頃裾幅延長線上にサイズ幅調整線５（２ｃｍ）が設けられてあり、さらに衽丈サイズ
【００６８】調整線６（１５ｃｍ）が衽裾印付け裾幅（１５．２ｃｍ）で設けてある。見積り裁断専用ものさし１４は、前記ものさし三のつづき、ものさし四と五である、三同様の幅（１．５ｃｍ）づつの衿衽丈、身丈のものさしが設けられている。型紙つなぎ部２２で、三につながり五へとつづき終了となる身丈ものさしと、四で終了となる衿衽丈ものさしが表してある。［図４］（ｂ）裏面のＡ３サイズ印刷用
【００６９】本体１は表面の紙を図の下側で反転させた図で、表面と同形である縦二辺（２４ｃｍ）横二辺（７ｃｍ）の長方形を掛衿型紙の外枠としている。ＩＩの１回使用である。外枠丈線２掛衿付けＩＩ線についている合印線用突起部分７は前記型紙と同様である。内部には型紙本体８、型紙各部の名称９、合印線用符合１０、着物イラスト前図１２が示されている。型紙の使用に際しては、表面から外枠を切り取
【００７０】り次に生地の掛衿山に表面外枠山線３掛衿山を合わせ、外枠丈線２衿付側丈線と合印線の印付けをします、外枠丈線２のぬのはばいっぱい（衿おさめ）は生地の掛衿山布幅いっぱいの位置に印を付け他は省略する、（前後）身頃及び衽サイズ丈調整線型紙は、表面と同一であり、使用に際しては、調整線のサイズ丈とサイズ幅で切り取り、（前後）身頃、及び衽裾に後付けして使用する。見積り裁断専
【００７１】用ものさし１４は表面と同形で、前記ものさし同様内側幅線で切り取り、型紙つなぎ部２２で三につながり五へとつづき終となる身丈ものさしと、四で終了となる衿衽はかけえりとえりに分けられる。［図５］は一実施例を構成する。（前後）身頃の型紙を印刷する（ａ）表面のＡ３サイズ印刷用紙本体１に、前記の用意された身丈サイズに基づいて、基準となる（前後）身頃丈Ｓサイズ寸法を割り
【００７２】出すと、身丈（１５０ｃｍ）＋くりこし（２ｃｍ）＋ゆとり（１ｃｍ）＝印付け身丈（１５３ｃｍ）を紙面に納まり、かつ使い勝手が良いように均等六分割します。（１５３ｃｍ）÷６＝（２５．５ｃｍ）一分割丈の長さ（２５．５ｃｍ）を型紙上部丈の長さとした、外枠丈線２背縫い線側、袖付けと身八つ口側の二本と外枠山線３のＳサイズ肩幅（３０ｃｍ）に背側と袖付側のきせ分（０．５ｃｍ）
【００７３】をたした（３０．５ｃｍ）の肩山幅線、外枠分割丈の区分線４肩幅と後幅を結んだ袖付け傾斜の外枠丈線（２５．５ｃｍ）身幅線（２８．５ｃｍ）で形作られる、縦一辺（２５．５ｃｍ）一辺（２５．５ｃｍ）横一辺（３０．５ｃｍ）一辺（２８．５ｃｍ）の四辺形を（前後）身頃型紙の外枠とする。さらに外枠山線３肩山幅線、外枠分割丈の区分線４身幅線、延長線上に肩幅サイズ調整線（３．５ｃ
【００７４】ｍ）身幅サイズ調整線（２ｃｍ）を設け、線上でサイズ調整がされるようになっている。外枠丈線２背縫い線側、袖付けと身八つ口側線についている。合印線用突起部分７は前記型紙と同様である。内部には型紙本体８、型紙各部の名称９、合印線用符号１０、着物イラスト前図１２、着物イラスト後図１３、が示されている。型紙内部印付け線１５は後身頃のえりかたまわりと衿肩明、前身頃の衽下
【００７５】がりと衽付け線を表している。へこみ部２１の型紙内部印付け線１５衽付け線上についているのは裏面ＩＩにつながる部分を表し、外枠山線３肩山幅線、外枠分割丈の区分線４身幅線についているのは裏面ＩＩ、ＩＩＩ、ＩＶ、Ｖ、ＶＩ、でのつながる部分を表している。［図５］（ｂ）裏面のＡ３サイズ印刷用本体１は表面の紙を図の下側で反転させた図で、表面と同形である縦一辺（２５．５ｃｍ）一辺（２
【００７６】５．５ｃｍ）横一辺（３０．５ｃｍ）一辺（２８．５ｃｍ）の四辺形を（前後）身頃型紙の外枠としている。さらに外枠山線３すそＶＩ幅線及び身幅線、外枠分割丈の区分線４身幅線延長線上に表面と同様に肩幅サイズ調整線（３．５ｃｍ）身幅サイズ調整線（２ｃｍ）を設け、線上でサイズ調整がされるようになっている。表面と同丈の長さで、残った分割丈分（１２７．５ｃｍ）の印付けを表わし、
【００７７】ＩＩ、ＩＩＩ、ＩＶ、Ｖ、ＶＩ、の５回使用である。各印付け線についている合印線用突起部分７は前記型紙と同様である。内部には型紙本体８、型紙各部の名称９、合印線用符合１０、着物イラスト前図１２、着物イラスト後図１３が示されている。型紙内部印付け１５は前身頃の衽付け線ＩＩ、ＩＩＩ、ＩＶ、Ｖ、ＶＩ、と身八つ口線ＩＩ、脇縫い線ＩＩ、ＩＩＩ、ＩＶ、Ｖ、ＶＩ、を表している。裏面全て印付け不用部２０は塗り
【００７８】つぶされていて、この部分は印付けが不用であることを表している、裏面ＩＩＩ印付け不用部１９はドットで、この部分は脇縫い線、ＩＩＩ、ＩＶ、Ｖ、ＶＩ、での印付けが不用であることを表している。型紙内部印付け線１５、脇縫い線上の外枠分割丈の区分線４についているへこみ部２１は裏面ＩＩＩ〜ＶＩと順番につながる部分を表し、外枠山線３裾ＶＩの幅線についているのは裏面ＩＩ〜ＶＩに順番につながる部分で表
【００７９】している。型紙内部印付け線１５（前）身頃の衽付けＩＩ線、ＩＩＩ線、ＩＶ、Ｖ、ＶＩ、各線上の外枠分割丈の区分線４についている。へこみ部２１は表面Ｉ〜裏面ＩＩ〜ＶＩへと順番につながる部分を表し、外枠山線３裾ＶＩ幅線についているのは裏面ＩＩ〜ＶＩにつながる部分を表している。型紙の使用に際しては、前記の裄丈サイズを後幅サイズに応じて選んだ肩幅サイズと袖幅サイズの組合わせの肩幅サイズを、
【００８０】肩幅調整図に従い袖付けの傾斜線を引き直した後、表面から外枠を切り取ります。［図６］（ｂ）前記袖型紙使用状態説明図が示すように、生地の肩山に表面外枠山線３肩山線を合わせ、外枠丈線２背縫いＩ線と合印線、（後）衿肩明きと（後）衿肩まわりと合印線、袖付け線、身八つ口線と合印線の印付けをします。次に外枠分割丈の区分線４から反転させて裏面ＩＩ型紙内部印付け線１５身八つ口ＩＩ
【００８１】線、脇縫いＩＩ線と合印線、外枠丈線２背縫いＩＩ線と合印線の印付けをします。さらに同面を４回スライドさせて、脇縫い線上のへこみ部分を合わせて裏面ＩＩＩ〜ＶＩへと順番に印付けをします。同様に背縫い線側も印付けをし４回目のＶＩ線から外枠山線３すそＶＩ幅線を結び後身頃の印付けを完成させます。次に上の生地二枚をめくり、（前）身頃の印付けをします。生地の肩山に表面外枠３肩山線を合わせ
【００８２】ると共に（後）身頃で印付け済みの袖付け線、身八つ口線に型紙を合わせ型紙内部印付け線１５（前）身頃の衽下がり線、衽付け線と合印線の印付けをします。次に外枠分割丈の区分線４から反転させて表面と同様に（後）身頃で印付け済すの身八つ口線、脇縫い線に裏面ＩＩの型紙を合わせ、型紙内部印付け線１５（前）衽付けＩＩと合印線の印付けをします。さらに同面を４回スライドさせて、衽付
【００８３】け線上のへこみ部分を合わせて、裏面ＩＩＩ〜ＶＩへと順番に印付けを完成させる表面２回裏面１０回使用の両面式型紙である。サイズ丈調整は前記衽型紙同様後付けにし、（後）くりこし揚のある場合でも使用出来ます。その他本発明は図示の実施例に限定されるものではなく、特許請求の記載範囲内において数々の変形が可能である。
【産業上の利用可能性】
【００８４】Ｉ・Ｔ、教育、裁縫、関連業界にて活用出来るものである。
【符号の説明】
【００８５】１：Ａ３サイズ印刷用紙本体
２：外枠丈線
３：外枠山線
４：外枠分割丈の区分線
５：サイズ幅調整線
６：サイズ丈調整線
７：合印線用突起部分
８：型紙本体の名称
９：型紙各部の名称
１０：合印線用符号
１１：地の目線
１２：着物イラスト前図
１３：着物イラスト後図
１４：見積り裁断専用ものさし
１５：内部印付け線
１６：まるみ型紙線
１７：表面Ｉ印付け不用部
１８：裏面ＩＩ印付け不用部
１９：裏面ＩＩＩ印付け不用部
２０：裏面全て印付け不用部
２１：へこみ部
２２：型紙つなぎ部
【要約】
【課題】従来の和服用型紙は、利便性が良くないという問題があった。
これは形状が長く旧態依然としているためである。
【解決手段】着物一等身分の印付け身丈又は着丈、袖丈、衽丈、衿丈、掛衿丈、それぞれに丈の長さを分割した内から一分割丈の長さを型紙の表面として使用し、縫い合わせ線、折り曲げ線、合印線、各幅線、その他縫製に必要な情報を印刷する。他方裏面には残った分割丈分の、縫い合わせ線、折り曲げ線、合印線、各幅線、その他縫製に必要な情報を印刷し、両面使用で前記の着物一等身分、全の印付けが出来る和服用型紙により、形状のコンパクト化がなされ、利便性を向上させた、現代の気運にマッチす、和裁技術の普及を促すことが出来る、和服用型紙である。
【選択図】図１【図１】
0005731701.tif 000002
【図２】
0005731701.tif 000003
【図３】
0005731701.tif 000004
【図４】
0005731701.tif 000005
【図５】
0005731701.tif 000006
【図６】
0005731701.tif 000007
【図７】
0005731701.tif 000008
【図８】
0005731701.tif 000009